(57)【要約】      （修正有）【課題】簡易な構成でありながらも、奥行き感、立体感の表現に優れた照明機能付き装飾置物を提供する。【解決手段】表面にサンドブラストで模様１５０を形成した複数枚のガラス板１０１〜１０７を配列することによって正面視したときこの模様１５０が前後方向の異なる位置に確認できる透明発光部１００と、複数枚のガラス板１０１〜１０７の配列状態を保持するホルダ部１２０と、透明発光部１００の下面に光を照射可能なＬＥＤ光源と、を備える。【選択図】図１
0003170630.tif 000002
【実用新案登録請求の範囲】
【請求項１】
表面又は／及び内部に光を屈折若しくは反射する模様部を備えた透明板状体を複数枚配列することによって正面視したとき前記模様部が前後方向の異なる位置に確認できる透明発光部と、
当該複数枚の透明板状体の配列状態を保持するホルダ部と、
前記透明発光部の端面に光を照射可能な光源と、を備える
ことを特徴とする照明機能付き装飾置物。
【請求項２】
請求項１において、
前記透明板状体が、互いに接触するように配列されている
ことを特徴とする照明機能付き装飾置物。
【請求項３】
請求項１において、
前記透明板状体が、互いに所定の間隙を有するように配列されている
ことを特徴とする照明機能付き装飾置物。
【請求項４】
請求項１〜３のいずれかにおいて、
前記光源が、複数の発光体の集合体であり、
当該集合体を構成する一の発光体はそれぞれ、単一の前記透明板状体のみに対して光を照射するように配置されている
ことを特徴とする照明機能付き装飾置物。
【請求項５】
請求項４において、
前記発光体の発光状態が、前記透明板状体毎に異なるように制御する制御部を備える
ことを特徴とする照明機能付き装飾置物。
【請求項６】
請求項１〜５のいずれかにおいて、
前記模様部が、前記透明板状体の表面に対してサンドブラストにより形成された凹部である
ことを特徴とする照明機能付き装飾置物。
【請求項７】
請求項１〜６のいずれかにおいて、
特定の立体物の奥方の形状や模様が、前記複数の透明板状体の配列方向後方側の模様部として形成され、順に、前記立体物の手前方の形状や模様が、前記複数の透明板状体の配列方向前方側の模様部として形成されている
ことを特徴とする照明機能付き装飾置物。
【考案の詳細な説明】
【技術分野】
【０００１】
本考案は、室内等に設置して見る者に美感を与えるための置物であって、特に光源を有して光による演出効果を意図した装飾置物の技術分野に関する。
【背景技術】
【０００２】
従来、特許文献１〜３に記載される照明機能付き装飾置物（装飾透明体、内部に輝光描画部を有する透明体、デザインランプ）が知られている。
【０００３】
特許文献１に記載されている装飾透明体は、デザインを刻設した透明板の側端に照明手段を配設し、該照明手段の光を透明板の端縁より入光させるようにしたものである。これにより、デザインを刻設した透明板の端縁より光が入射するので、透明板内に入射した光は、透明板内を全反射しながら通過していくと共に、所定の臨界角に到達したときに透明板から外部に出ていくため、透明板全体が光輝き、しかも、デザインを刻設した部分においては、刻設していない部分との板面の角度が異なるため、かかる部分での光の出射量が変化して、デザインを立体的に外部に表出させることができるとされている。
【０００４】
特許文献２に記載されている内部に輝光描画部を有する透明体は、内部にレーザ光により任意形態の描画部を形成する透明又は略透明の部材と、該部材に装着され描画部を照光するＬＥＤ装置とが設けられている。このように描画部を部材の内部に形成することで、汚れや劣化、部材のそりもなく高品質に形成できると共に、ＬＥＤを用いることにより、高寿命化，省エネができ、任意の色彩，明るさに描画部を照光することができるとされている。
【０００５】
特許文献３のデザインランプは、発光手段の手前に配置し、発光手段からの光を透過させて見るプレートであって、透明または半透明のガラスや合成樹脂製の基板に、パターンシートを重ね、その上から透明または半透明の合成樹脂を塗布してサンドイッチ状に積層固定した構成とされている。また、パターンシートは、布地をカットしてパターン形成し、かつラミネートして密封してなる構成とされている。このような構成とすることで、白熱球（発光手段）を点灯すると、当該白熱球からの光がプレートを透過するため、その反対側（表側）から見ると、透過光が見える。このとき、パターンシートの有る領域と、無い領域とで、光の透過状態が異なり、パターンシートが映えて見えるので、美しく見えるとされている。
【先行技術文献】
【特許文献】
【０００６】
【特許文献１】特開平９−２４０１１９号公報
【特許文献２】特開２００２−３６８００号公報
【特許文献３】実用新案登録第３０２５１３１号公報
【考案の概要】
【考案が解決しようとする課題】
【０００７】
しかしながら、これらの照明機能付き装飾置物（装飾透明体、内部に輝光描画部を有する透明体、デザインランプ）はいずれも板状の透明体等を一枚配置して、この板状の透明体等に様々な手法でデザイン等を施し、このデザインを照明により照らすことで（若しくは光を透過させることで）見る者に美感を与えるというものである。「立体的に表示・・・」との記載があるものもあるが、一枚の透明体等で表現できる立体感は物理的に限界があり、より立体的且つ幻想的な表現を実現した照明機能付き装飾置物が求められていた。
【０００８】
そこで本考案は、かかる問題点を解消することをその目的とし、シンプルな構成でありながらも今までにない立体感、更には幻想的な表現が可能な照明機能付き装飾置物、を提供するものである。
【課題を解決するための手段】
【０００９】
上記課題を解決するべく、請求項１に記載の本願考案は、表面又は／及び内部に光を屈折若しくは反射する模様部を備えた透明板状体を複数枚配列することによって正面視したとき前記模様部が前後方向の異なる位置に確認できる透明発光部と、当該複数枚の透明板状体の配列状態を保持するホルダ部と、前記透明発光部の端面に光を照射可能な光源と、を備えることを特徴とする。
【００１０】
光源から透明板状体の端面に照射された光は当該透明板状体の中を伝搬して透明板状体の全域に拡散する。この時、透明板状体の表面又は／及び内部には光を屈折若しくは反射する模様部が備わっているので、当該模様部に到達した光は屈折・反射するので、透明発光部を正面から見たとき、当該模様部が照らされて浮き上がったように発光する。更に、本願考案においては配列された透明板状体のそれぞれに模様部が形成されているので、透明発光部を正面から見たとき、前後方向の異なる位置において模様部が（間接的に）発光する。即ち、極めて明確に奥行き感、立体感が表現されるのである。更に、模様部を変更したいような場合でも、透明板状態全体を差し替える必要がなく、必要な部分だけを差し替えて使用する事ができるので、様々な表現を低コストで実現することができ、表現に飽きることなく使い続けることが可能となる。
【００１１】
また請求項２に記載の考案は、請求項１に加えて、前記透明板状体が、互いに接触するように配列されていることを特徴とする。
【００１２】
このような構成とすることによって、奥行き感、立体感を表現しつつも、透明発光部自体の奥行きを最小限に抑えてコンパクトな構成を実現することができる。また、透明板状体を互いに接触させておくことによって、透明板状体間へのホコリ等の異物の進入を防止でき、透明感を長期間に渡って維持することができる。
【００１３】
また請求項３に記載の考案は、請求項１に加えて、前記透明板状体が、互いに所定の間隙を有するように配列されていることを特徴とする。
【００１４】
このような構成を採用することによって更なる奥行き感、立体感を表現することができる。また各透明板状体の一枚一枚に個別の光源を配置してその端面を照射した場合においても、隣り合う透明板状体側に伝搬し難いので、光による演出の自由度が飛躍的に増大する。
【００１５】
また請求項４に記載の考案は、請求項１〜３のいずれかに加えて、前記光源が、複数の発光体の集合体であり、当該集合体を構成する一の発光体はそれぞれ、単一の前記透明板状体のみに対して光を照射するように配置されていることを特徴とする。
【００１６】
このような構成を採用したことによって、配列している透明板状体のそれぞれに効率よく光を照射することができる。
【００１７】
また請求項５に記載の考案は、請求項４に加えて、前記発光体の発光状態が、前記透明板状体毎に異なるように制御する制御部を備えることを特徴とする。
【００１８】
このような構成を採用したことによって、透明板状体を（場合により所定の隙間を空けながら）重ねて配列したことによる物理的な奥行き感、立体感に加えて、光の演出の面からも更なる奥行き感、立体間を表現することが可能となる。例えば前側に位置する透明板状体に照射する光を相対的に強くし、一方で、後側に位置する透明板状体になるに従って照射する光を相対的に弱くすることで、更なる奥行き感、立体感を表現することが可能となる。もちろん光の強さ以外にも、光の色や点滅状態並びにこれらの変化、更にはこれらを組み合わせたものを透明板状体毎に異なるように制御してもよい。即ち表現のバリエーションを飛躍的に増大させることができる。
【００１９】
また請求項６に記載の考案は、請求項１〜５のいずれかに加えて、前記模様部が、前記透明板状体の表面に対してサンドブラストにより形成された凹部であることを特徴とする。
【００２０】
このような構成を採用したことによって、サンドブラスト特有の表面で光が屈折・反射することになるので、独特の美感を演出することができる。また、サンドブラストにより切り子等とは違った複雑な形や深さの表現が可能となり、繊細な表現の模様部を形成することができ、付加価値の高い置物として好適である。
【００２１】
また請求項７に記載の考案は、請求項１〜６のいずれかに加えて、特定の立体物の奥方の形状や模様が、前記複数の透明板状体の配列方向後方側の模様部として形成され、順に、前記立体物の手前方の形状や模様が、前記複数の透明板状体の配列方向前方側の模様部として形成されていることを特徴とする。
【００２２】
このような構成を採用したことによって、立体物の奥行き感、立体感を損なうことなく透明発光部に表現することができる。
【考案の効果】
【００２３】
本考案を適用することで、奥行き感、立体感の表現に優れた照明機能付き装飾置物を低コストで提供することができる。
【図面の簡単な説明】
【００２４】
【図１】本考案に係る照明機能付き装飾置物の正面図である。
【図２】本考案に係る照明機能付き装飾置物の右側面図である。
【図３】透明板状体を示した図であって、（ａ）が正面側から１枚目（最前列）に配列される透明板状体の正面図、（ｂ）が正面側から２枚目に配列される透明板状体の正面図、（ｃ）が正面側から３枚目に配列される透明板状体の正面図、（ｄ）が正面側から４枚目に配列される透明板状体の正面図である。
【図４】透明板状体を示した図であって、（ｅ）が正面側から５枚目に配列される透明板状体の正面図、（ｆ）が正面側か６枚目に配列される透明板状体の正面図、（ｇ）が正面側から７枚目（最後列）に配列される透明板状体の正面図である。
【図５】特定の立体物を層状の領域に分割する概念を示した図である。
【図６】本考案に係る照明機能付き装飾置物の第２実施例を示した右側面図である。
【考案を実施するための形態】
【００２５】
以下、添付図面を参照しつつ、本考案の実施形態の一例について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００２６】
〈照明機能付き装飾置物の構成〉
本考案にかかる照明機能付き装飾置物１は、正面視、高さ約２７ｃｍ、幅約２０ｃｍ、奥行き約１５ｃｍ（発光部奥行き約４ｃｍ）の略矩形に形成され、透明なガラス製の透明発光部１００と、当該透明発光部１００をホールドするホルダ部１２０（上部ホルダ１２２及び下部ホルダ１２４）と、透明発光部１００の下方に配置された光源１４０（図１には現れていない。）と、ホルダ部１２０が載置固定された台座１３０と、光源１４０を制御する制御部１６０とを有してなる。なお、台座１３０の下面にはゴム製の滑り止め・緩衝部材１３２が複数装着されている。また、制御部１６０はＡＣアダプタ（図示していない）を介して電源に繋がっている。
【００２７】
透明発光部１００は、本実施形態では合計７枚の矩形板状の第１のガラス板（透明板状体）１０１〜第７のガラス板１０７を前後方向に重ねるように配列した構成とされている。各ガラス板１０１〜１０７は、高さ約２５ｃｍ、幅約２０ｃｍ、厚み約５ｍｍとされ、上面及び左右面がテーパ状に僅かに面取りされて構成される。
【００２８】
この７枚のガラス板１０１〜１０７からなる透明発光部１００は、本実施形態では、互いに表面が接触するように直接的に重なるように配列され、上辺側が側面視「コの字」型の上部ホルダ１２２によって、及び、下辺側も側面視「コの字」型の下部ホルダ１２４によって配列状態が崩れてしまわないように保持される。なお、各ホルダ１２２、１２４の内周面とガラス板１０１、１０７の表面が直接接触しないように厚み約１ｍｍのホルダスペーサ１２６、１２８が挿入されている。
【００２９】
透明発光部１００の下側（下部ホルダ１２４の内側底面）には光源１４０としてＬＥＤ発光体１４１〜１４７が配置されている。各ＬＥＤ発光体１４１〜１４７は上方に指向性が向くように配置されている。即ち、ガラス板１０１〜１０７の下辺端面側に向かって配置されている。更に本実施形態においては、ガラス板の一枚一枚にそれぞれ対応するように、ＬＥＤ発光体１４１〜１４７が配置されている。具体的には第１のガラス板１０１に対して第１のＬＥＤ発光体１４１が、第２のガラス板１０２に対して第２のＬＥＤ発光体１４２が、第３のガラス板１０３に対して第３のＬＥＤ発光体１４３が、第４のガラス板１０４に対して第４のＬＥＤ発光体１４４が、第５のガラス板１０５に対して第５のＬＥＤ発光体１４５が、第６のガラス板１０６に対して第６のＬＥＤ発光体１４６が、第７のガラス板１０７に対して第７のＬＥＤ発光体１４７がそれぞれ配置されている。なお側面視（図２）では各ガラス板１０１〜１０７に対して１つのＬＥＤ発光体しか現れていないが、奥方向（図２において奥方向）にも同様にいくつかのＬＥＤ発光体が配置されている。
【００３０】
また、透明発光部１００を構成する各ガラス板１０１〜１０７の表面には、それぞれ異なる模様１５１〜１５７がサンドブラストにより研磨加工されている。当然ながらサンドブラストにより模様が研磨加工されているため、当該模様１５１〜１５７は各ガラス板１０１〜１０７の表面から窪んで（凹部）形成されている。
【００３１】
また、本実施形態においては、各ガラス板１０１〜１０７に研磨加工されている模様は全体として「胡蝶蘭の全体像」となるような模様として研磨加工されている。具体的には、図３及び図４に示されるように、第１のガラス板１０１の表面には第１模様１５１（１つの胡蝶蘭の花弁）が研磨加工されている（図３（ａ）参照）。同様に、第２のガラス板１０２の表面には第２模様１５２（３つの胡蝶蘭の花弁）が研磨加工されている（図３（ｂ）参照）。同様に、第３のガラス板１０３の表面には第３模様１５３（３つの胡蝶蘭の花弁と蕾）が研磨加工されている（図３（ｃ）参照）。同様に、第４のガラス板１０４の表面には第４模様１５４（４つの胡蝶蘭の花弁（内１つは横向き）と根の一部）が研磨加工されている（図３（ｄ）参照）。同様に、第５のガラス板１０５の表面には第５模様１５５（４つの胡蝶蘭の花弁（内１つは横向き）と葉と根の一部）が研磨加工されている（図４（ｅ）参照）。同様に、第６のガラス板１０６の表面には第６模様１５６（３つの胡蝶蘭の花弁（内１つは横向き）と葉と根の一部）が研磨加工されている（図４（ｆ）参照）。同様に、第７のガラス板１０７の表面には第７模様１５７（茎と当該茎に繋がる２つの花弁）が研磨加工されている（図４（ｇ）参照）。
【００３２】
なお、いずれのガラス板にどういった模様を描くかは自由である。しかしながら例えば図５に示しているように、表現しようとするものが立体物Ｍ（上記では胡蝶蘭がこの立体物に該当している。）である場合に、当該立体物Ｍを手前側から奥側へと順に層状に仮想的に区画（一定の間隔で区画面Ｒ１〜Ｒ７を仮想的に設定）し、当該区画された仮想領域をそれぞれ仮想領域Ｅ１〜Ｅ７とした上で、これらの各仮想領域Ｅ１〜Ｅ７内に位置する対象物を取り出し、更に取り出した模様や形状等をそれぞれのガラス板に表現するのが望ましい。
【００３３】
より具体的には、第１仮想領域Ｅ１に位置する形状や模様を第１のガラス板１０１にサンドブラストで描き、第２仮想領域Ｅ２に位置する形状や模様を第２のガラス板１０２にサンドブラストで描き、第３仮想領域Ｅ３に位置する形状や模様を第３のガラス板１０３にサンドブラストで描き、第４仮想領域Ｅ４に位置する形状や模様を第４のガラス板１０４にサンドブラストで描き、第５仮想領域Ｅ５に位置する形状や模様を第５のガラス板１０５にサンドブラストで描き、第６仮想領域Ｅ６に位置する形状や模様を第６のガラス板１０６にサンドブラストで描き、第７仮想領域Ｅ７に位置する形状や模様を第７のガラス板１０７にサンドブラストで描くのである。このようにすることで、立体物の有する立体感、奥行き感を崩すことなくそのままの形で透明発光部１００に表現することが可能となっている。
【００３４】
〈照明機能付き装飾置物の作用・機能〉
電源を入れると、光源１４０から光が照射される。この光は透明発光部１００を構成するガラス板１０１〜１０７内を伝搬して広がるが、透明発光部１００に形成された模様部１５０において屈折・反射し、前後方向へと放出され、この放出された光が視覚に届くこととなる。本考案にかかる照明機能付き装飾置物１は前述した構成を採用していることから、非常に奥行き感、立体感のある表現が可能となっていて、見る者に今までにない幻想的な印象を与えることができる。
【００３５】
また、照明の色や強さは一定であってもよいし、変化させることも可能である。更にこの変化においても全てのガラス板に対して同じ変化をさせてもよいし、個々のガラス板で異なる変化をさせてもよい。本考案にかかる照明機能付き装飾置物１を構成する透明発光部１００は７枚のガラス板１０１〜１０７を配列して構成しており、更に各ガラス板１０１〜１０７に対応するようにＬＥＤ発光体１４１〜１４７を配置しているので、特定のガラス板のみの発光状態を明確に変化させることができる。例えばレーザ等によって一つのガラス等の内部に立体的に模様を形成した場合にはこのように変化させることは困難であり、本願考案であるからこそ発揮できる特有の効果である。
【００３６】
〈その他の構成例〉
なお上記の照明機能付き装飾置物１においては、各ガラス板１０１〜１０７が互いに直接接触するようにして配列されていた。しかしこれに限らず、例えば図６に示しているように、各ガラス板２０１〜２０７の間にそれぞれスペーサ（透明板状体間形成用スペーサ）Ｓを配置して一定の間隔を有するように構成することも可能である。このようにすることでより奥行き感、立体感を表現することが可能となる。もちろんこの間隔（スペーサＳの厚み）は一定でなくともよく場所により間隔が異なっていてもよい。更に一部分のみにスペーサＳを配置して間隔を空けるような構成を採用することもでき、特に立体感を際立たせたい部分にのみ間隔を空けて構成すると演出効果を際立たせることができる。なお、図２で示した第２実施形態としての照明機能付き装飾置物２のその他の部分は、最初に説明した照明機能付き装飾置物１と同様であるため、構成及びその作用機能が同一又は類似する部分については数字下２桁が同一の符号を付するに留め、重複した説明は省略する。
【００３７】
また上記では、透明発光部１００を構成するのが７枚のガラス板であったが、７枚に限定されるものではない。複数枚である限り本願考案の目的は達成しうる。また、ガラス以外にも、アクリルやポリカーボネートなどの樹脂を広く利用することが可能である。
【００３８】
また上記では、光源が透明発光部１００の下部に備わっていた。しかしこれに限らず、上部であってもよいし上下両方、更には左右側に配置されていてもよい。
【００３９】
また上記では、光源としてＬＥＤ発光体を利用していた。しかしこれに限らず広く電球類を使用する事も可能である。
【符号の説明】
【００４０】
１・・・照明付き装飾置物
１００・・・透明発光部
１０１・・・第１のガラス板（透明板状体）
１０２・・・第２のガラス板（透明板状体）
１０３・・・第３のガラス板（透明板状体）
１０４・・・第４のガラス板（透明板状体）
１０５・・・第５のガラス板（透明板状体）
１０６・・・第６のガラス板（透明板状体）
１０７・・・第７のガラス板（透明板状体）
１２０・・・ホルダ部
１２２・・・上部ホルダ
１２４・・・下部ホルダ
１２６、１２８・・・ホルダスペーサ
１３０・・・台座
１３２・・・滑り止め・緩衝部材
１４０・・・光源
１４１〜１４７・・・ＬＥＤ発光体
１５０・・・模様部
１５１・・・第１模様（模様部）
１５２・・・第２模様（模様部）
１５３・・・第３模様（模様部）
１５４・・・第４模様（模様部）
１５５・・・第５模様（模様部）
１５６・・・第６模様（模様部）
１５７・・・第７模様（模様部）
１６０・・・制御部
Ｓ・・・透明板状体間形成用スペーサ
【図１】
0003170630.tif 000003
【図２】
0003170630.tif 000004
【図３】
0003170630.tif 000005
【図４】
0003170630.tif 000006
【図５】
0003170630.tif 000007
【図６】
0003170630.tif 000008